(57)【特許請求の範囲】
【請求項１】
墓石を囲んで配置される石材製の外柵において、
外部が外柵の一部を構成し、内部に燈明台として使用可能な内部空間を有し、かつ、上記内部空間への物品の出し入れのために火入れ口を備えた石材製の外柵部材を具備し、
火入れ口は、閉塞した外柵部材の内側面又は外側面もしくは開放した内側面を閉じる内側面閉塞部材又は開放した外側面を閉じる外側面閉塞部材に設けられており、かつ、
上記火入れ口に、引き戸又は開き扉から成る開閉手段を装備した構成を有する
墓石の外柵における燈明台装置。
【請求項２】
外柵部材の前端部に内部空間が位置しており、上記内部空間は正面と内側面又は外側面を開放し、後面と外側面又は内側面及び上下両面を閉塞した構造を有している外柵部材と、上記開放した正面を閉じる石材製の正面閉塞部材と、開放した内側面又は外側面を閉じる石材製の内側面閉塞部材又は外側面閉塞部材を具備し、
上記内側面閉塞部材又は外側面閉塞部材は片手を挿入可能な火入れ口を備えている
請求項１記載の墓石の外柵における燈明台装置。
【請求項３】
開閉手段を構成するものは石材製の引き戸であり、内部空間の開放した側の上下の縁に溝部を設け、上記溝部に引き戸の上部と下部を摺動可能に嵌め込み、嵌め込まれた引き戸を外部から覆うように、内側面閉塞部材又は外側面閉塞部材が外柵部材に接合されている
請求項２記載の墓石の外柵における燈明台装置。
【請求項４】
開閉手段を構成するものは石材製の開き扉であり、内側面閉塞部材又は外側面閉塞部材に火入れ口を開口し、上記火入れ口に金属製部材から成る扉外枠を接合するとともに、扉外枠に金属製部材から成る扉内枠をヒンジ部により開閉可能に取り付け、上記扉内枠に化粧部材を接合した構成を有する
請求項２記載の墓石の外柵における燈明台装置。
【請求項５】
引き戸又は開き扉及び石材製の正面閉塞部材は、任意の模様から成る開口部を有しており、これらの開口部は、光を透過するシート状の素材によって閉塞されている
請求項２ないし４の何れかに記載の墓石の外柵における燈明台装置。
【請求項６】
外柵部材は、内部空間が正面のみで開放しており、内部空間に通じる火入れ口の開閉手段として、引き戸が、金属製の戸枠を用いたアセンブリーとして構成され、上記戸枠アセンブリーは、開放した正面から内側面の火入れ口を開閉可能に閉じるように設けられている
請求項１記載の墓石の外柵における燈明台装置。
【請求項７】
外柵部材は、内部空間が上面のみで開放しており、内部空間上面の開放している部分は上面部材によって閉塞され、内部空間に通じる火入れ口を開閉する引き戸は、上面から内側面の火入れ口を閉じるように設けられ、かつ、上記内部空間の底面と上面部材の内面とに加工した開閉手段によって開閉可能に構成されている
請求項１記載の墓石の外柵における燈明台装置。
【発明の詳細な説明】
【技術分野】
【０００１】
本発明は、墓石を囲んで配置される石材製の外柵における燈明台装置に関するもので、特には、外柵の一部に燈明台として使用可能な内部空間を備えるとともに、内部空間に燈明以外の物品も納められるようにしたものである。
【背景技術】
【０００２】
本発明において、外柵とは、墓石を囲んで配置される石材製の構築物を意味しており、墓石に向かって正面の参拝口は開口し、左右両側面と背面の三方に低い囲みをめぐらしたもので、通常はそれによって墓の区域つまり墓所が画定されている。墓所には、墓石とともに水鉢、香炉及び拝石、花立て、墓誌、灯篭などが付属しており、また、外柵の前端部分には親柱などと称する石塊が配置され、その正面に家紋を彫り込んだものが良く見受けられる。墓所はお参りするところであり、墓参者は必要なものを持参しかつ持ち帰るものという観念から、墓所には上記付属物以外の何物も置かないのが普通である。しかし、忘れ物がある場合には、十分な墓参ができないことになる。
【０００３】
また、上記のような従来の墓所の設備では、墓参者は、墓石を清掃し、花立てに花を生け、線香に火を付けるなどの動作を狭い墓所にて行うことになる。特に、暗い状況において灯篭に火を点す場合には、頭など身体の一部を墓石や灯篭などにぶつける恐れがある。そこで、本発明者は墓所用燈明空間付きの羽目石を考案し、先に実用新案の登録を出願して第３１３５８２９号の実用新案登録を得ている。これによって、外柵の前部に設けた燈明の明かりで、墓所に入る前でも墓前を照明することができ、安全性が高められるようになった。
【０００４】
ところが、従来の燈明の火入れ口は、石燈籠の時代の構造を引き継いでいるためか、燈明空間が吹きさらしの環境にあり、ゴミや埃の侵入を防ぐことができない。また、虫の侵入も避けられず、ときには蜂が巣を作るという問題も起こる。紙を貼った格子枠を火入れ口に嵌め込んで、風除けのために蓋をすることは従来から行われているが、その程度のものでは強風によって吹き飛ばされ、紛失することもしばしばである。墓所の設備は全てが石材製であるため、このような不便があり、中々改善が進まなかったという特殊な事情がある。他の先行技術を見ると、例えば、特開２００７−３２７３２３号があるが、この燈明台は外部から内部を看取するため石材に窓や透孔を設けており、風雨の影響を或る程度抑制できるとしても、その効果は限定されると思われる。
【０００５】
【特許文献１】実用新案登録第３１３５８２９号
【特許文献２】特開２００７−３２７３２３号
【発明の開示】
【発明が解決しようとする課題】
【０００６】
本発明は前記の点に着目してなされたもので、その課題は、燈明台として使用可能であり、また、墓参に使用する物品も収納可能な内部空間を外柵に設けるとともに、この内部空間の火入れ口を閉じて、風雨の影響を著しく減少できるようにすることである。また、本発明の他の課題は、内部空間を完全に閉じて埃や虫の侵入を遮断することを可能にした墓石の外柵における燈明台装置を提供することである。また、本発明の他の課題は、石材製の墓所の設備の重厚感を損なわない、墓石の外柵における燈明台装置を提供することである。
【課題を解決するための手段】
【０００７】
前記の課題を解決するため、本発明は墓石を囲んで配置される石材製の外柵において、
外部が外柵の一部を構成し、内部に燈明台として使用可能な内部空間を有し、かつ、上記内部空間への物品の出し入れのために火入れ口を備えた石材製の外柵部材を具備し、上記火入れ口は、閉塞した外柵部材の内側面又は外側面もしくは開放した内側面を閉じる内側面閉塞部材又は開放した外側面を閉じる外側面閉塞部材に設けられており、かつ、引き戸又は開き扉から成る開閉手段を装備した構成を有するという手段を講じたものである。
【０００８】
本発明は、墓石を囲む配置を取る石材製の外柵に、燈明台装置を設けたものである。本発明の燈明台装置は、外部が外柵の一部を構成し、内部に燈明台として使用可能な内部空間を有していることが条件であり、燈明台の「台」は「部」というほどの意味である。上記内部空間は燈明台としてだけではなく、墓参に使われる燈明以外の様々な物品を納める目的も有している。燈明用のローソク及び燭台以外の物品としては、例えば、線香、着火用具、清掃用品などを挙げることができる。
【０００９】
内部空間の具体的形状は、自由にデザインすることができる。また、本発明の燈明台装置は、上記内部空間への物品の出し入れのために火入れ口を備えた石材製の外柵部材を具備しているが、外柵の前後左右及び上面、正面等のどの面に火入れ口を設けるかについても自由に選択することができる。火入れ口は、上記の物品類を出し入れするために、少なくとも片手を差し入れることができるだけの大きさを有する必要がある。ここで、外柵部材とは、外柵の一部を構成する部材を意味している。例えば、墓石に向かって左右両側面と背面から成る外柵では、左側面の外柵部分や右側面の外柵部分が１個の石材から成るものも、また、複数個の石材を組み合わせて成るものもあるので、どちらの外柵部材にも内部空間を形成することができる。
【００１０】
本発明の燈明台装置として、外柵部材の前端部に内部空間が位置しており、上記内部空間は正面と内側面又は外側面を開放し、後面と外側面又は内側面及び上下両面を閉塞した構造を有している外柵部材と、上記開放した正面を閉じる石材製の正面閉塞部材と開放した内側面又は外側面を閉じる石材製の内側面閉塞部材又は外側面閉塞部材を具備し、上記内側面閉塞部材又は外側面閉塞部材は片手を挿入可能な火入れ口を備えているものは、望ましい構成を有していると言える。外柵部材も石材製であるが、その端面（小口）であれば、内部空間を形成することが、より容易であるからである。上記内部空間は、内側面又は外側面のどちらを火入れ口として開放しても良いのでこのように記載しており、開放した側面に内側面閉塞部材又は外側面閉塞部材を配置するものである。但し、複数の墓所が隣接した配置を取る場合、火入れ口は内部空間の内側面に配置せざるを得ないが、また、実際にもこの例が多いであろう。
【００１１】
本発明の装置は、上記火入れ口に、引き戸又は開き扉から成る開閉手段を装備した構成を有するものとする。引き戸から成る開閉手段は、石材以外の材料を用いなくても設置が可能であり、かつまた、極端に狭い場所でも開閉可能という点で、本発明の装置に適している。一方、開き扉には、引き戸を設けるときには必要なスペースが不要になる分、内部空間の容積を大きく取ることができ、また、既存の墓石に後付けも可能であるという利点がある。
【００１２】
開閉手段を構成するのが石材製の引き戸である場合、内部空間の開放した側の上下の縁に溝部を設け、上記溝部に引き戸の上部と下部を摺動可能に嵌め込み、嵌め込まれた引き戸を外部から覆うように、内側面閉塞部材又は外側面閉塞部材を、外柵部材に接合した構成を有することが望ましい。これによって、石材の加工品だけで開閉手段を構成することができる。
【００１３】
開閉手段を構成するのが石材製の開き扉である場合には、内部空間の開放した側を外部から覆うように、内側面閉塞部材又は外側面閉塞部材を、外柵部材に接合し、上記内側面閉塞部材又は外側面閉塞部材に火入れ口を開口し、上記火入れ口に金属製部材から成る扉外枠を接合するとともに、扉外枠に金属製部材から成る扉内枠をヒンジ部により開閉可能に取り付け、上記扉内枠に化粧部材を接合した構成とすることができる。金属製のヒンジ機構を石材製の装置に組み合わせ、扉のスムーズな回転が得られる。
【００１４】
上記の引き戸又は開き扉及び石材製の正面閉塞部材は、任意の模様から成る開口部を有しており、これらの開口部は、光を透過するシート状の素材によって閉塞されているものも望ましい構成である。光を透過するシート状の素材であれば、燈明の本来の機能を妨げることがなく、かつまた、塵埃や虫の侵入の防止に最も効果的である。上記の素材としては旧来の紙類の他、プラスチックシート、ガラス等を使用することができる。
外柵部材として、内部空間が正面のみで開放しており、内部空間に通じる火入れ口の開閉手段として、引き戸を、金属製の戸枠を用いたアセンブリーとした構成を取ることができる。また、外柵部材について、内部空間が上面のみで開放しており、内部空間上面の開放している部分は上面部材によって閉塞され、内部空間に通じる火入れ口を開閉する引き戸は、上記内部空間の底面と上面部材の内面とに加工した開閉手段によって開閉可能に構成することができる。内部空間は、正面と内側面又は外側面等２面で開放している例のほか、上記正面のみ、上面のみ、内側面又は外側面のみでの開放という構成を取ることができることは明らかである。
【発明の効果】
【００１５】
本発明は以上のように構成されかつ作用するものであるから、燈明台として使用する本来の用途、機能を外柵に具備させることができ、これに加えて、燈明以外の墓参に使われる様々な物品も内部空間に収納可能であり、しかもこの内部空間を閉じて、風雨の影響を著しく減少することができるという効果を奏する。また、本発明によれば、内部空間を完全に閉じて埃や虫の侵入を遮断することを可能にした墓石の外柵における燈明台装置を提供することができる。また、本発明によれば、石材製の墓所の設備の重厚感を損なわない墓石の外柵における燈明台装置を提供することができる。
【発明を実施するための最良の形態】
【００１６】
以下図示の実施形態を参照して本発明をより詳細に説明する。図１は本発明に係る墓石の外柵における燈明台装置１０の一例に関するものである。図中、符号１１は墓石を示しており、水鉢１２、花立て１３、香炉１４等を具備し、それらを囲んで外柵１５が配置されている。外柵１５は向かって左側面部分１５ａ、背面部分１５ｂ及び右側面部分１５ｃとから構成されている。１６、１７は左右の外柵部材であり、左外柵部材１６は外柵の左側面部分１５ａの前半部を構成し、右外柵部材１７は外柵の右側面部分１５ｃの前半部を構成している。
【００１７】
左外柵部材１６と右外柵部材１７とは、内部に燈明台として使用可能な内部空間１８を有しており、ここに本発明の燈明台装置１０が配置されている。内部空間１８は左右対称で左右の区別があるが、備えるべき構成は基本的に左右で相違がないので、以後、左側の内部空間１８を主として説明し、必要が生じた場合に右側の説明を追加することとする。本発明の燈明台装置１０では、装置を構成する全てが石材製品から成っている。その石材製の外柵部材１６、１７の上記内部空間１８は、正面と内側面（右側面、右側については左側面）が開口部１９になっており、その正面の開口部分を正面部材２０で閉じ、内側面の開口部分を、内側面閉塞部材２１により閉じるものである（図２ないし図５参照）。
【００１８】
正面部材２０は外柵部材１６の正面に、内側面閉塞部材２１は内側面に、それぞれ接合されている。接合のために、接合面２０ａ、２１ａが、外柵部材１６の正面と内側面にそれぞれ設定されている（図４及び図５参照）。なお、接合には石材用接着剤が用いられる。正面部材２０は接合面２０ａの上下に形成された凹段部２０ｂ、２０ｃ間に嵌め込んで取り付けられ、内側面閉塞部材２１は、接合用凸部２１ｇを内部空間側に有しており、この凸部分の上下端部２１ｄ、２１ｅを内部空間１８の内側上下に設けられた凹段部２１ｂ、２１ｃに嵌め込んで取り付けられている。正面部材２０は装飾的な小開口２０ｄを有しており、小開口２０ｄは、墓に適した模様で構成され、通気可能であることが望ましいが、しかし、光を透過するシート状の素材によって閉じることもできる。２１ｆは接合面であり、内部空間１８よりも奥の位置において、内側面閉塞部材２１の上記接合用凸部２１ｇを接合する部分である。
【００１９】
内側面閉塞部材２１には、物品類を出し入れするために、少なくとも片手を差し入れることができるだけの大きさ及び形状を有する火入れ口２２が開口しており、火入れ口２２は開閉手段２３によって開閉される。開閉手段２３を含む装置詳細は、図２以下に例示されている。図２ないし図９は実施形態の例１に関する参照図面である。ここに図示されている例１は、引き戸２４から成る開閉手段２３に関するもので、図２は引き戸２４を引いて火入れ口２２を閉じた状態、図３は火入れ口２２を開いた状態の外観を示している。
【００２０】
開閉手段２３を構成する石材製の引き戸２４は、内部空間１８の開放側の上下に設けられている前記凹段部２１ｂ、２１ｃと、内部空間１８を閉じる内側面閉塞部材２１との隙間を、引き戸２４を前後に摺動させる上下の溝部２５ａ、２５ｂとして利用する構造である（図６及び図８参照）。上記溝部２５ａ、２５ｂに組み込まれた引き戸２４は、内側面閉塞部材２１によって外部から覆われ、かつ、正面部材２０によっても外れないように取り付けられているが、前端にストッパー（戸当たり）として小片２６を取り付けることで位置決めをすることができる。図８は、例１における、左外柵部材１６の開閉手段２３部分の横断面を示すものである。左外柵部材１６と内側面閉塞部材２１との間に記載した隙間は接合代（しろ）を表しており、隙間のままであることを示すものではない。
【００２１】
また、引き戸２４は、火入れ口２２の部分を開閉するが、この引き戸自体にも小窓２７が形成されている。同様の小窓２８は、内部空間１８の外側面を閉塞している壁面にも設けられている。上記の小窓２７、２８は、通常は、陰陽思想にモチーフを取った模様から成り、同時に、一種の装飾と燈明の燃焼のための通気を兼ねているものである。しかし、燈明として使用するときには、墓参者等が引き戸２４を開けることができ、通気も確保し易く、墓参が終われば引き戸２４を閉めて燈明が消えても良いので、小窓２７、２８が貫通した構造である必要性は必ずしもない。とすれば、小窓２７、２８の代わりに単なる凹状の模様を形成するという選択、或いは正面部材２０の小開口２０ｄのように、光を透過するシート状の素材によって閉じるという選択も可能である。さらには、正面部材２０の小開口２０ｄも非貫通状の単なる模様などとして形成することができる。
【００２２】
次に、本発明の燈明台装置１０の実施形態の例２を説明する。例２に関する参照図面は図１０ないし図１８である。ここに図示されているのは、開閉手段２３が開き扉３０から成るものであるが、内部空間１８、開口部１９、正面部材２０、内側面閉塞部材２１等については例１と同様の構成で良いので、同じ符号を使用するものとし、詳細な説明を繰り返さない。図１０は開き扉３０により火入れ口２２を閉じた状態、図１１は火入れ口２２を開いた状態をそれぞれ示している。
【００２３】
開閉手段２３を構成する開き扉３０も石材製であるが、石材製のみではヒンジ機構に支障を生じる恐れがある。そこで、例２の開閉手段２３では、開き扉３０のヒンジ機構を、金属材料を用いて形成するために、上記火入れ口２２に金属製部材から成る扉外枠２９を接合するとともに、扉外枠２９に金属製部材から成る扉内枠３１をヒンジ部３２により開閉可能に取り付け、上記扉内枠３１に石材製の化粧部材３３を接合した構造としている（図１２〜図１５参照）。ヒンジ部３２は扉外枠２９と扉内枠３１の一端部に上下方向の軸孔３２ａ、３２ｂを形成し、その軸孔３２ａ、３２ｂにヒンジ軸３４を差し込んで構成されている。なお、上記扉内枠３１は窓状開口部３１ａを有している。３３ａは摘みを示す。金属製部材の素材としては、例えば、ステンレススチール或いは真鍮などの、錆び難く、対候性を有するものを使用することが望ましい。
【００２４】
上記扉外枠２９は火入れ口２２の内壁に嵌め込まれ、化粧部材３３は扉内枠３１に嵌め込まれ、それぞれ石材用接着剤を用いて接合されている（図１２、図１３参照）。また、扉外枠２９にはストッパー３５を設けるととともに、ストッパー３５に当たる戸当たり３６を扉内枠３１の対応位置に設けている（図１４〜図１７参照）。開き扉３０を閉じ位置に固定するには、このストッパー３５と戸当たり３６に磁石を用いることで、開き扉３０を閉じ位置に固定することができる。しかし、ばねを用いたり、或いはヒンジ軸３３を鉛直線から傾けたりすることでも、戸当たり３６がストッパー３５に当たるように付勢することが可能になる。
【００２５】
例２も、内部空間１８の開放している内側を外部から覆う、内側面閉塞部材２１を左外柵部材１６に接合し、上記内側面閉塞部材２１に火入れ口２２を設けた構造に関する説明である点は、例１のものと共通である。なお、火入れ口２２の部分を開閉する開き扉３０の化粧部材３３にも小窓３７が形成されており、同様の小窓３８は、内部空間１８の外側面を閉塞している壁面にも設けられている。これらの小窓３７、３８は、例１のものと同様のもので、一種の装飾と燈明の燃焼のための通気を兼ねている。図１８は、例２において、正面部材２０を接合する前の状態を示す正面図であり、左外柵部材１６と内側面閉塞部材２１との間に記載した隙間は、例１と同様の接合代（しろ）である。
【００２６】
引き戸２４又は開き扉３０及び石材製の正面閉塞部材２０は、任意の模様から成る開口部を有しているが、光を透過するシート状の素材によって閉塞されているものも望ましい構成であることを既に記載した。しかし、内部空間１８を閉塞する内側面閉塞部材又は外側面閉塞部材に、小窓２７、２８、３７、３８を設けない選択も採用することができる。図２０により、そのような開閉手段２３に関する例３を示しており、引き戸式の開閉部材３９には摘み３９ａ以外、何も設けられていないが、陰陽思想にモチーフを取った模様や、家紋などをレリーフ等の手段により形成しても良いことは勿論である。正面部材２０についても同様であるが、燈明台装置１０という本件発明の思想からは、内部に配置した燭台４０の光が外部から見えた方が望ましく、従って、小開口２０ｄや小窓２７、２８、３７、３８を開けた上で、光を透過する素材から成るシート状のもので塞ぐのが良いであろう。また、開閉部材自体を、光を透過する素材から成るシート状ないしは板状の部材によって形成しても良い。
【００２７】
以上の説明では、火入れ口２２として内側面閉塞部材２１の一部を切り抜いた構造のものを示したが、切り抜きではなく切り欠いた構造としても良いので、図２１以下を参照し、これを例４として説明する。例４の場合、切り欠いた構造であるので、符号にダッシュを付して、内側面閉塞部材２１′、火入れ口２２′と区別する。火入れ口２２′は内側面閉塞部材２１′を、その前端部にて切り欠いており、この火入れ口２２′に、小窓２７′を有する、引き戸２４′から成る開閉手段２３を装備している。引き戸２４′は正面部材２０をストッパー（戸当たり）として奥の方へスライドさせるように構成されている。なお、他の構成については符号を援用し、詳細な説明に代える。例４についても、その引き戸方式に代えて開き扉方式にすることは何も問題がない。
【００２８】
上述した実施形態では、内側面閉塞部材２１に接合用凸部２１ｇを設けた構造について説明している。この接合用凸部２１ｇは、内側面閉塞部材２１の自重を支えるために、内部空間１８の内側上下に設けられた凹段部２１ｂ、２１ｃに嵌め込んで取り付けているものである。しかし、内側面閉塞部材２１が軽量であり、相対的に石材用接着剤の接着力の信頼性が十分に高いと判断できるならば、敢えて段部と凸部による嵌め込み構造を設けなくても良く、平面接合のみで足りる。
【００２９】
上述した実施形態は、何れも上記内部空間１８の正面と内側面又は外側面を開放した構成になっている。しかし、内部空間１８は、内部空間１８を構成する面の内のどれか一か所のみが開放された構成であれば良いので、この例について、図２３以下を参照して説明する。図２３〜図２７は本発明による実施形態の例５を示しており、内部空間１８は正面が開放されているのみである（図２４、図２５等参照）。このような奥行きの深い内部空間１８は、円筒型のドリルを用いて、外柵部材１６の正面部から内方へ内部空間１８の後壁に達するまで深穴を穿孔し、この作業を内部空間１８の全域に亘って行い、その後に隣接深穴間に残る部分を削除し、直方体状の深穴に整形することによって形成することができる（この方法は、浅深は別として前述した実施形態の例１ないし４にて内部空間１８を形成する場合にも同様に行なわれる常套技術である。但し、穿孔方向は異なる）。
【００３０】
このようにして、無垢の石材を刳り抜いて形成した内部空間１８は、正面が開放されているのみであるから、構造的に単純、かつ、例４までの構造よりも強固であり、内側面閉塞部材又は外側面閉塞部材も不要である。内側面及び外側面には、それぞれ内部空間１８に通じる小窓４７及び火入れ口４１を形成する。例５の場合、加工の手間と費用は多少余分にかかることになるが、しかし、内側面閉塞部材又は外側面閉塞部材を張り合わせる必要がないため、内側面又は外側面を段差の無い平滑面に仕上げることも可能であり、コストよりもデザインを重視する選択を可能にする。
【００３１】
例５では、火入れ口４１の開閉手段２３として、前後スライド式の引き戸４２を使用する。引き戸４２は、金属製の戸枠を用いたアセンブリー４３として構成するものとし、この戸枠アセンブリー４３は、上下の溝部４４ａ、４４ｂを奥の後縦枠４４ｃで結合した、コノ字型の戸枠と、上区溝部４４ａ、４４ｂに嵌る上記引き戸４２と、戸枠のコノ字型を閉じる前縦枠４４ｄ及びストッパー４５を有しており、内部空間１８の内側の接着部４６に石材−金属接着用の接着剤を用いて取り付けられる（図２５参照）。なお、引き戸４２には小窓４８が形成されている。よって、戸枠アセンブリー４３の取り付け後、正面部材２０を正面の接合面２０ａに接着剤を用いて取り付けることで、例５の燈明台装置１０を完成することができる。
【００３２】
さらに、内部空間１８は、上面一か所のみが開放された構成であっても良いので、その例６について、図２８、図２９を参照して説明する。図２８は本発明に図示されているように、内部空間１８は上面が開放されているのみで、例４までの構造よりも強固であり、この深い内部空間１８を、円筒型のドリルを用いて、外柵部材１６の上面部から下方へ穴を掘り下げて形成し得ることは前述のとおりである。例６において、内部空間１８には外側面に小窓４９、内側面に火入れ口５１、正面に小開口２０ｄを設けることができ、開放した上面は、上面部材５０を用いて蓋をすることで閉塞される。外柵部材１６の上面は、開放部分のみ上面部材５０の高さ分だけ低く形成され、蓋をすることで平坦になる。
【００３３】
例６の火入れ口５１の開閉手段２３は、引き戸５２によって構成され、引き戸５２には小窓５３が形成されている。引き戸５２から成る開閉手段２３には、内部空間１８の底面と上面部材５０の内面とに加工した上部の溝部５４ａ又は下部のずれ止め部５４ｂが設けられている（図２８及び図２９参照）。溝部５４ａとずれ止め部５４ｂは上下逆であっても良いし、上下とも溝部５４ａだけで又はずれ止め部５４ｂだけで構成することも可能である。なお、例１から例６を通じて外側面、内側面及び正面に小窓２７、２８、３７、３８、４９、５３或いは小開口２０ｄ等を設ける場合のみ説明して来たが、これらは全てが貫通した構造である必要はなく、特にゴミや埃の侵入を防ぎ、虫が巣を作ることを防止する見地からは、必要と考えられる箇所のみ貫通構造とし、それ以外は閉塞した非貫通構造とすることが望ましい。
【００３４】
このように構成されている本発明の燈明台装置１０では、引き戸２４、２４′又は開き扉３０、開閉部材３９、引き戸４２、５２などによって構成されている開閉手段２３を開いて、内部空間１８に、例えば、燭台４０を配置することができる（図１９参照）。燭台４０の光は、基本的には正面部材２０に形成された小開口２０ｄ、内側面閉塞部材２１に形成された小窓２７又は左外側部材１６に形成された小窓２８を通して周囲を照らし、所期の目的を果たすことになる。目的に反して、光に引き寄せられる虫の害を減少するか無くすには、上記小開口２０ｄ、小窓２７、２８を、光を透過するシート状の素材によって閉塞することが好適である。また、内部空間１８には、墓参に使われる、燈明以外の様々な物品も収納可能であり、墓参や墓の管理をつつがなく行うことができる。以上のように、内部空間１８は左右対称であるから左右の区別があるが、備えるべき構成は基本的に左右で相違がないので、左外柵部材１６と右外柵部材１７を置き換えて読むことで、右外柵部材１７にも左外柵部材１６と同じ構成が備わっていることを、容易に理解することができるであろう。また、開閉手段２３を構成する引き戸２４、２４′又は開き扉３０、開閉部材３９、引き戸４２、５２などの材質については石材製であることが墓石という設置対象との関係から好ましいのであるが、必ずそうでなければならないということはできないので、石材以外の、例えば樹脂製品、金属製品、木材製品を選択的に使用することも可能である。
【図面の簡単な説明】
【００３５】
【図１】本発明に係る墓石の外柵における燈明台装置の一例を示す墓所の斜視図である。
【図２】同上における左外柵部材の開閉手段を閉じた例１を示す斜視図である。
【図３】同じく開閉手段を開いた例を示す斜視図である。
【図４】同じく要部を右方から示す分解斜視図である。
【図５】同じく要部を左方から示す分解斜視図である。
【図６】同じく正面部材接合前を左方から示す斜視図である。
【図７】同じく外柵の左側面部分全体を示す上面図である。
【図８】図７のＶＩＩＩ−ＶＩＩＩ線断面 図である。
【図９】同じく図７のＩＸ−ＩＸ線断面図である。
【図１０】同上における左外柵部材の開閉手段を閉じた例２を示す斜視図である。
【図１１】同じく開閉手段を開いた例を示す斜視図である。
【図１２】同じく要部を右方から示す分解斜視図である。
【図１３】同じく要部を左方から示す分解斜視図である。
【図１４】同じく開閉手段を内側から示す斜視図である。
【図１５】同じく開閉手段を外側から示す斜視図である。
【図１６】同じく例２の内側面閉塞部材の正面図である。
【図１７】図１６のＸＶＩＩ−ＸＶＩＩ線断面図である。
【図１８】同じく例２の正面部材接合前の状態を示す正面図である。
【図１９】正面部材接合前の斜視図で、本発明の使用方法を併せて示すものである。
【図２０】本発明の例３を示す左外柵部材の部分正面図である。
【図２１】本発明の例４を示す左外柵部材の分解斜視図である。
【図２２】本発明の例４を示す左外柵部材の斜視図である。
【図２３】本発明の例５を示す左外柵部材の斜視図である。
【図２４】本発明の例５を示す左外柵部材の右方分解斜視図である。
【図２５】本発明の例５を示す左外柵部材の左方分解斜視図である。
【図２６】本発明の例５を示す左外柵部材の縦断面図である。
【図２７】本発明の例５を示す左外柵部材の左方斜視図である。
【図２８】本発明の例６を示す左外柵部材の斜視図である。
【図２９】本発明の例６を示す左外柵部材の縦断面図である。
【符号の説明】
【００３６】
１０  墓石の外柵における燈明台装置
１１  墓石
１２  水鉢
１３  花立て
１４  香炉
１５  外柵
１６  左外柵部材
１７  右外柵部材
１８  内部空間
１９  開口部
２０  正面部材
２１  内側面閉塞部材
２２  火入れ口
２３  開閉手段
２４  引き戸
２５ａ、２５ｂ  溝部
２６  小片
２７、２８  小窓
２９  扉外枠
３０  開き扉
３１  扉内枠
３２  ヒンジ部
３３  化粧部材
３４  ヒンジ軸
３５  ストッパー
３６  戸当たり
３７、３８  小窓
３９  開閉部材
４０  燭台
４１  火入れ口
４２、５２  引き戸
４３  戸枠アセンブリー
４４ａ、４４ｂ、４４ｃ、４４ｄ  
４５  ストッパー
４６  接着部
４７、４８、４９、５３  小窓
５０  上面部材
５１  火入れ口
５４ａ  溝部、５４ｂ  ずれ止め部
【図１】
0005324624.tif 000002
【図２】
0005324624.tif 000003
【図３】
0005324624.tif 000004
【図４】
0005324624.tif 000005
【図５】
0005324624.tif 000006
【図６】
0005324624.tif 000007
【図７】
0005324624.tif 000008
【図８】
0005324624.tif 000009
【図９】
0005324624.tif 000010
【図１０】
0005324624.tif 000011
【図１１】
0005324624.tif 000012
【図１２】
0005324624.tif 000013
【図１３】
0005324624.tif 000014
【図１４】
0005324624.tif 000015
【図１５】
0005324624.tif 000016
【図１６】
0005324624.tif 000017
【図１７】
0005324624.tif 000018
【図１８】
0005324624.tif 000019
【図１９】
0005324624.tif 000020
【図２０】
0005324624.tif 000021
【図２１】
0005324624.tif 000022
【図２２】
0005324624.tif 000023
【図２３】
0005324624.tif 000024
【図２４】
0005324624.tif 000025
【図２５】
0005324624.tif 000026
【図２６】
0005324624.tif 000027
【図２７】
0005324624.tif 000028
【図２８】
0005324624.tif 000029
【図２９】
0005324624.tif 000030